(57)【要約】【課題】既存の携帯情報端末を使用し、種々の入出力インターフェースに対応することのできる入出力装置を提供すること。【解決手段】中央制御部２０３７では、アタッチメント部２０１に対応付けられた各種プログラム及びデータをＲＯＭから呼出して実行することにより、ＩＦコントローラＡに指示を出す。また逆に、ＩＦコントローラＡからの入出力信号を受けることにより、アタッチメント部２０１に対応付けられた各種プログラム及びデータをＲＯＭから呼出して実行する。【選択図】      図３
2004227087.tif 000002
【特許請求の範囲】
【請求項１】
アタッチメント部とメモリカード部とからなる入出力装置であって、
前記アタッチメント部は、ターゲットとの入出力インタフェースに準じてデータを処理するデータ処理手段を備え、
前記メモリカード部は、前記アタッチメント部のアタッチメント種別を判別する判別手段と、前記アタッチメント種別に応じた処理を実行する制御手段を備えたことを特徴とする入出力装置。
【請求項２】
請求項１に記載の入出力装置において、
前記ターゲットは１又は２以上あり、同一ターゲットとの入出力インタフェースも１又は２以上あることを特徴とする入出力装置。
【請求項３】
請求項１又は請求項２に記載の入出力装置において、
前記メモリカード部はＬ字型の形状を有しており、その鍔部に前記アタッチメント部との接合面を有し、前記接合面に、前記アタッチメント部との第１の接続コネクタとネジ穴とを具備していることを特徴とする入出力装置。
【請求項４】
請求項１乃至請求項３のいずれかに記載の入出力装置において、
前記アタッチメント部は、その側面に前記第１の接続コネクタを嵌入するための第２の接続コネクタと、ネジ貫通穴とを具備していることを特徴とする入出力装置。
【請求項５】
請求項１乃至請求項４のいずれかに記載の入出力装置において、
前記入出力インタフェースの種類及び組合せに応じて、前記アタッチメント種別が異なることを特徴とする入出力装置。
【発明の詳細な説明】
【０００１】
【発明の属する技術分野】
本発明は、メモリカード型入出力インタフェースを備えた入出力装置に関する。
【０００２】
【従来の技術】
従来より、フィールドバスとして欧米を中心に広く採用されていた車両制御用ネットワーク“ＣＡＮバス”が、近年になって、日本でも多く利用されるようになってきた。
これに付随して、ＰＤＡ（Ｐｅｒｓｏｎａｌ  Ｄｉｇｉｔａｌ  Ａｓｓｉｓｔａｎｔｓ）に代表されるような携帯情報端末をＣＡＮバスに接続し、車両内の自動車電話等の通信機器、カーナビゲーションシステム、温度センサ、速度センサなどと情報通信を行う技術も多く普及している。
【０００３】
ＰＤＡをＣＡＮバスに接続する際には、ＣＦカード（登録商標）が多く利用される。ＣＦカードは米ＳａｎＤｉｓｋ社によって提唱され、独自開発された小型メモリカードの規格である。カード内部に、フラッシュメモリチップとコントローラチップとを搭載し、このコントローラチップでの処理により、ＰＤＡなどからはＡＴＡ準拠のストレージデバイスとして認識される。
しかし、近年の車載試験システムにおいては、ＣＡＮバスからのデータと、アナログ信号とを同時計測することへの要望も強まってきている。そのため、インタフェース毎にカード本体を取替えなければならない従来の小型メモリカードでは、対応しきれなくなっている。
特許文献１には、ＰＤＡのインターフェース回路部でプロトコルを識別し、当該プロトコルに従って外部装置とデータの送受信を行う技術が記載されている。
【０００４】
【特許文献１】
特開２０００−４３０５号公報
【０００５】
【発明が解決しようとする課題】
しかしながら、特許文献１に開示された車両用情報機器通信装置の場合、機器本体にインターフェース回路を組み込むため、必然的に、本体サイズが大きくなってしまうという問題があった。
そこで、本発明は、既存の携帯情報端末を使用し、種々の入出力インターフェースに対応することのできる入出力装置を提供することを目的とする。
また、本発明は、既存の携帯情報端末を使用し、ＣＡＮバスからのデータと、その他のデータ収集ライン（又はデータバス）からのデータとの同時計測を実現することのできる入出力装置を提供することを目的とする。
【０００６】
【課題を解決するための手段】
上記課題を解決するため、本発明による入出力装置はアタッチメント部とメモリカード部とからなり、アタッチメント部はターゲットとの入出力インタフェースに準じてデータを処理するデータ処理手段を備え、メモリカード部はアタッチメント部のアタッチメント種別を確認する確認手段と、アタッチメント種別に応じた処理を実行する制御手段を備えたことを特徴とする。
上記ターゲットは１又は２以上あり、同一ターゲットとの入出力インタフェースも１又は２以上あることが好ましい。
上記入出力装置のメモリカード部はＬ字型の形状を有しており、その鍔部にアタッチメント部との接合面を有し、接合面にアタッチメント部との第１の接続コネクタとネジ穴とを具備することが好ましい。
上記入出力装置のアタッチメント部は、その側面に第１の接続コネクタを嵌入するための第２の接続コネクタと、ネジ貫通穴とを具備することが好ましい。
上記入出力装置は、入出力インタフェースの種類及び組合せに応じて、アタッチメント種別が異なることが好ましい。
【０００７】
【発明の実施の形態】
以下、本発明の実施の形態を図面に基づいて詳細に説明する。
（１）本発明の実施の形態に係る通信システムの概略構成図（図１）
図１は、本発明の実施の形態に係る通信システムの概略構成例を示すブロック図である。本発明の実施の形態に係る通信システムは、ＰＤＡ１０１、温度センサ１０３ａ、加速度センサ１０３ｂ、電圧センサ１０３ｃ、及びＣＡＮバス１０５、データ収集ライン（又はデータバス）１０７ａ及び１０７ｂを備えている。
上記通信システムの構成を詳述すると、ＰＤＡ１０１と温度センサ１０３ａと加速度センサ１０３ｂと電圧センサ１０３ｃとは、ＣＡＮバス１０５を介して相互に通信を行う。データ収集ライン１０７ａは、ＰＤＡ１０１と温度センサ１０３ａとを直結する通信ケーブルである。データ収集ライン１０７ｂは、ＰＤＡ１０１と加速度センサ１０３ｂとを直結する通信ケーブルである。ＰＤＡ１０１には、本発明に係る入出力装置（図示せず）が着脱自在に装着可能である。
【０００８】
ＰＤＡ１０１に装着された入出力装置は、後述する小型メモリカード部２０３（以下、メモリカード部と称す）とアタッチメント部２０１とで構成される。当該入出力装置は、ＣＡＮバス１０５上にあるターゲットからのデータ、並びに、データ収集ライン１０７ａ又は１０７ｂを介してターゲットから直接送られているデータをＰＤＡ１０１に渡すことができる。そのため、ＰＤＡ１０１は、異なる入出力インタフェースを介して取得したデータを同時計測することができる。
なお、この場合、ターゲットとは、温度センサ１０３ａ、加速度センサ１０３ｂ、電圧センサ１０３ｃをいう。
【０００９】
（２）ＰＤＡ及び入力装置の説明（図２）
図２は、本発明の実施の形態に係るＰＤＡと入出力装置との構成例を示すブロック図である。本発明の実施の形態に係るＰＤＡ１０１は、ＲＡＭ１０１１、ＲＯＭ１０１３、ＣＰＵ１０１５、ハードディスク（ＨＤ）１０１７、通信制御部１０１９、インターフェース部（ＩＦ部）１０２１、ディスプレイ１０２３、キーボード１０２５を備えている。
通信制御部１０１９は、図示しないインターネット等の回線網を介してデータを送受信する通信装置であり、例えばインターネットにおける基本通信単位であるＩＰデータグラムと呼ばれるパケットを送受信する。ＣＰＵ１０１５は、本システム全体を制御する中央処理装置である。
【００１０】
ＲＯＭ１０１３、ＲＡＭ１０１１、ＨＤ（ハードディスク）１０１７は記憶装置である。これらの記憶装置は、ＣＰＵ１０１５による各種制御に用いられるＯＳ（オペレーティングシステム）と、各種アプリケーションプログラムを記憶している。ＩＦ部１０２１は外部装置（キーボード１０２５、ディスプレイ１０２３）との接続通信を可能するドライバ、接続端子等で構成される。
ディスプレイ１０２３には、図１に示した温度センサ１０３ａ〜電圧センサ１０３ｃ等から提供される各情報のほか、ＰＤＡ本体に備えられた機能及び設定項目を表示する。ＣＰＵ１０１５はＲＯＭ１０１３に記述されたプログラムに従い、キーボード１０２５からの制御信号により動作し、各機能を実行する。
図２によると、本発明の実施の形態に係る入出力装置は、メモリカード部２０３と、アタッチメント部２０１とで構成されている。ケーブル部２１３は、各種通信ケーブルで構成されており、入出力インタフェースの組合せに応じて異なる。
【００１１】
（２−１）入出力インタフェースの種類
ケーブル部２１３は、各入出力インタフェースに対応可能な１本の通信ケーブルであっても、２以上の入出力インタフェースに対応可能な１又は２本以上の通信ケーブルであってもよいとする。入出力インタフェースの具体例としては、シリアルインタフェース（ＲＳ２３２Ｃ／ＬＩＮ）、ＣＡＮインタフェース、アナログ入力、アナログ出力、ポート入出力（パルス、カウンタ入出力機能を含む）等がある。
【００１２】
（２−２）本発明の実施の形態に係る入力装置の構成例
図３は、本発明の実施の形態に係る入出力装置の構成例を示すブロック図である。本発明の実施の形態に係るメモリカード部２０３は、メモリカードコネクタ２０３１、メモリカードコントローラ２０３３、パワーコントローラ２０３５、中央制御部２０３７、Ｉ／ＦコントローラＢ２０３９を具備している。中央制御部２０３７は、ＲＡＭ、ＲＯＭ、ＣＰＵコア、ＩＦコントローラＡを備えている。
メモリカードコネクタ２０３１は、メモリカード部２０３とＰＤＡ１０１とを物理的及び論理的に接続する接続部である。メモリカードコントローラ２０３３は、メモリカードコネクタ２０３１からの出力信号を受けて中央制御部２０３７を制御したり、逆に、中央制御部２０３７からの出力信号を受けてメモリカードコネクタ２０３１を制御する等の機能を果たす。パワーコントローラ２０３５は、メモリカードコネクタ２０３１からの出力信号を受けて電力制御信号をメモリカード部２０３内の各ユニットに送る。
【００１３】
中央制御部２０３７では、アタッチメント種別に対応付けられた各種プログラム及びデータをＲＯＭから呼出して実行することにより、ＩＦコントローラＡに指示を出す。また逆に、ＩＦコントローラＡからの出力信号を受けることにより、アタッチメント種別に対応付けられた各種プログラム及びデータをＲＯＭから呼出して実行する。
Ｉ／ＦコントローラＢ２０３９は、アダプタユニット・コネクタ２０１１からの出力信号を受けて中央制御部２０３７を制御したり、逆に、中央制御部２０３７からの出力信号を受けてアダプタユニット・コネクタ２０１１を制御する等の機能を果たす。
【００１４】
一方、本発明の実施の形態に係るアタッチメント部２０１は、アダプタユニット・コネクタ２０１１、Ｉ／Ｆドライバ２０１３、Ｉ／Ｆコネクタ２０１５を具備している。Ｉ／Ｆコネクタ２０１５は、図２のケーブル部２１３とアタッチメント部２０１との接続部である。
本発明の実施の形態に係るアタッチメント部２０１では、Ｉ／Ｆドライバ２０１３を作動させることにより、ケーブル部２１３から渡されたデータをアダプタユニット・コネクタ２０１１を介してメモリカード部２０３に渡したり、逆に、アダプタユニット・コネクタ２０１１から渡されたデータをケーブル部２１３に渡す機能を果たしている。
【００１５】
（３）本発明の実施の形態に係る入出力装置の処理動作例
図３を参照しながら、本発明の実施の形態に係る入出力装置の処理動作例を説明する。本発明の実施の形態に係る入力装置は、ケーブル部２１３の組合せ、すなわち、前述（２−１）した入出力インタフェースの種類及び組合せに応じて、アタッチメント部２０１を取り替える。ここでは、入出力インタフェースの種類及び組合せに応じて異なる「アタッチメント部の種別」を、アタッチメント種別という。
アタッチメント種別の一例を下表（表１）に示す。なお、表中の数字は、１行目にある入出力インタフェースに割当てられるチャネル数を示している。
【００１６】
【表１】
2004227087.tif 000003
【００１７】
アタッチメント部２０１に格納されたＩ／Ｆドライバ２０１３は、アタッチメント種別によって異なっている。また、中央制御部２０３７内のＩ／ＦコントローラＡ又はＩ／ＦコントローラＢ２０３９に渡される出力信号（データ信号及び制御信号を含む。以下同じ）の変復調手順や信号フォーマットは、アタッチメント種別によって異なる。
【００１８】
中央制御部２０３７のＲＯＭには、アタッチメント種別に応じたプログラム及びデータが格納されている。表１を例にとって説明すると、アタッチメント種別が「第２の種別」のときは、▲１▼ＲＳ２３２Ｃの規格に準拠した信号処理を実行するプログラム及びデータ、▲２▼ＣＡＮの規格に準拠した信号処理を実行するプログラム及びデータ、▲３▼ＡＤ／ＤＡ変換の規格に準拠した信号処理を実行するプログラム及びデータ、▲４▼ポート入出力の規格に準拠した信号処理を実行するプログラム及びデータをＲＯＭから呼出して実行する。
中央制御部２０３７は、Ｉ／ＦコントローラＡ又はＩ／ＦコントローラＢ２０３９からの出力信号に基づいてアタッチメント種別を判別し、アタッチメント種別に応じたプログラム及びデータをＲＯＭから呼出し、実行する。
【００１９】
一方、ＰＤＡ１０１からメモリカードコネクタ２０３１及びメモリカードコントローラ２０３３を介して中央制御部２０３７に渡された出力信号も、上記アタッチメント種別に応じたプログラム及びデータを用いて処理される。中央制御部２０３７において処理された信号は、Ｉ／ＦコントローラＡ又はＩ／ＦコントローラＢ２０３９に渡される。Ｉ／ＦコントローラＡ又はＩ／ＦコントローラＢ２０３９に渡された信号は、アタッチメント部２０１を介して各ターゲットに送信される。
【００２０】
（４）本発明の実施の形態に係る入出力装置の構造例
図４は本発明の実施の形態に係る入出力装置のメモリカード部の全体斜視図、図５は本発明の実施の形態に係る入出力装置のアタッチメント部の全体斜視図、図６は本発明の実施の形態に係る入出力装置のアタッチメント部の外観図である。
図４に示すように、本発明の実施の形態に係る入出力装置のメモリカード部２０３はＬ字型をしている。そして、その鍔部に相当する面４０１にはネジ穴４０３と接続コネクタ４０５とが設けられている。接続コネクタ４０５は、後述するアタッチメント部２０１の接続コネクタ５０５と嵌合することにより、メモリカード部２０３とアタッチメント部２０１とを物理的及び論理的に接続する機能を果たしている。
【００２１】
図５に示すように、本発明の実施の形態に係る入出力装置のアタッチメント部２０１の側面には、図４の接続コネクタ４０５を嵌入するための接続コネクタ５０５が設けられている。また、アタッチメント部２０１の側面には、ネジ５０３の貫通穴も設けられており、図５はその貫通穴にネジ５０３を貫通させた状態を示している。本発明の実施の形態に係る入出力装置は、ネジ５０３をネジ穴４０３に螺合することにより、図４のメモリカード部２０３と、図５のアタッチメント部２０１とを固定する。
アタッチメント部２０１は、アタッチメント種別に応じて用意される。図５にはアタッチメント部Ａ〜アタッチメント部Ｃ、すなわち、３つのアタッチメント種別に相当するアタッチメント部を示しているが、これに限定されないことは明らかである。
【００２２】
図６（ａ）はアタッチメント部２０１を上方から見たときの外観図である。アタッチメント部の上面５０７を隔ててネジ５０３が貫通している様子が示されている。ネジ５０３の頭６０１は、接続コネクタ５０５の設置されている面と対向する面に位置している。この頭６０１をドライバー等で回してネジ５０３をネジ穴４０３に螺合する。
【００２３】
図６（ｂ）は、接続コネクタ５０５の設置されている面と対向する面の外観図である。接続コネクタ６０３ａ及び６０３ｂは、アタッチメント部２０１とケーブル部２１３との接合部である。本発明の実施の形態に係る入出力装置では、入出力インタフェース毎に接続コネクタ（６０３ａ，６０３ｂ）を設ける。例えば、接続コネクタ６０３ａはＣＡＮインタフェース用ケーブルの接続コネクタとして、接続コネクタ６０３ｂはＬＩＮインタフェース用ケーブルの接続コネクタとして設ける。
【００２４】
以上、本発明の実施の形態を詳細に説明したが、本願発明は上記説明に限定されないことは明らかである。
例えば、本発明の実施の形態では温度センサ、加速度センサ、電圧センサをターゲットとしたが、ターゲットはこれらに限定されず、その他の計測機器及び電子機器、コンピュータでもよいことは明らかである。
また、本発明の実施の形態では、各アタッチメント種別に対応する入出力インタフェースの種類及び組合せを表１で示したが、これに限定されないことは明らかである。
また、本発明の実施の形態では、アタッチメント部に入出力インタフェース用ケーブルとの接合部を２つ（図６の接続コネクタ６０３ａ及び６０３ｂ）設けたが、１つのみ及び３つ以上でもよいことは明らかである。
また、本発明の実施の形態では、測定機をＰＤＡとしたが、ノートＰＣその他の携帯情報端末でもよいことは明らかである。
【００２５】
【発明の効果】
以上のように、本発明の入出力装置によれば、既存の携帯情報端末を使用し、種々の入出力インターフェースに対応することができる。
また、本発明の入出力装置によれば、既存の携帯情報端末を使用し、ＣＡＮバスからのデータと、その他のデータ収集ラインからのデータとの同時計測を実現することができる。
【図面の簡単な説明】
【図１】本発明の実施の形態に係る通信システムの概略構成例を示すブロック図。
【図２】本発明の実施の形態に係るＰＤＡと入出力装置との構成例を示すブロック図。
【図３】本発明の実施の形態に係る入出力装置の構成例を示すブロック図。
【図４】本発明の実施の形態に係る入出力装置のメモリカード部の全体斜視図。
【図５】本発明の実施の形態に係る入出力装置のアタッチメント部の全体斜視図。
【図６】本発明の実施の形態に係る入出力装置のアタッチメント部の側面図。
【符号の説明】
１０１  ＰＤＡ
１０３ａ  温度センサ
１０３ｂ  加速度センサ
１０３ｃ  電圧センサ
１０５  ＣＡＮバス
１０７ａ，１０７ｂ  データ収集ライン
２０１  アタッチメント部
２０３  メモリカード部
２１３  ケーブル部
【図１】
2004227087.tif 000004
【図２】
2004227087.tif 000005
【図３】
2004227087.tif 000006
【図４】
2004227087.tif 000007
【図５】
2004227087.tif 000008
【図６】
2004227087.tif 000009